(57)【要約】【課題】熱交換器に接続された配管の固定を容易にし、組立作業性を改善し、組み立て作業時の部品点数を削減してコスト低減を図ることができる天吊形空気調和機を提供する。【解決手段】熱交換器４と、熱交換器４の下方に配置され熱交換器４からのドレン水７を受けるドレンパン６と、熱交換器４の側方に設けられた冷媒ガス配管１２及び冷媒液配管１３と、熱交換器４の側方を室内ユニットの筐体２０に固定するとともに熱交換器４を流通する室内空気１０と二次空気１１がバイパスしないようにドレンパン６とともに熱交換器４の側方を仕切るコイルサポート９とを備え、コイルサポート９を冷媒ガス配管１２と冷媒液配管１３の接続部まで延設し、コイルサポ−ト９と一体に形成した配管固定部９ａによって冷媒ガス配管１２と冷媒液配管１３を室内ユニットの筐体２０に固定するようにした。【選択図】図３
2008170019.tif 000002
【特許請求の範囲】
【請求項１】
吸引された室内空気を熱交換して二次空気とする熱交換器と、前記熱交換器の下方に配置され該熱交換器からのドレン水を受けるドレンパンと、前記熱交換器の側方に設けられた冷媒ガス配管及び冷媒液配管と、前記熱交換器の側方を室内ユニットの筐体に固定するとともに、前記熱交換器を流通する室内空気と二次空気がバイパスしないように前記ドレンパンとともに前記熱交換器の側方を仕切るコイルサポートとを備え、
前記コイルサポートを前記冷媒ガス配管と冷媒液配管の接続部の近傍まで延設し、該コイルサポートに形成した配管固定部によって前記冷媒ガス配管と冷媒液配管の接続部の近傍を前記室内ユニットの筐体に固定したことを特徴とする天吊形空気調和機。
【請求項２】
前記コイルサポートに、前記熱交換器、冷媒ガス配管及び冷媒液配管から滴下したドレン水を前記ドレンパンに導く傾斜部を設けたことを特徴とする請求項１記載の天吊形空気調和機。
【請求項３】
前記コイルサポートを、金属板またはプラスチック材で形成したことを特徴とする請求項１または２記載の天吊形空気調和機。
【請求項４】
前記プラスチック材で形成したコイルサポートに該コイルサポートの剛性を強化するための補強リブを設けたことを特徴とする請求項１乃至３のいずれかに記載の天吊形空気調和機。
【請求項５】
前記コイルサポートの前記冷媒ガス配管と冷媒液配管の接続部を固定する部分の近傍に前記補強リブを設けたことを特徴とする請求項４記載の天吊形空気調和機。
【発明の詳細な説明】
【技術分野】
【０００１】
本発明は、室内空気を熱交換する熱交換器の側方部分を室内ユニットに固定するためのコイルサポートを備えた天吊形空気調和機に関するものである。
【背景技術】
【０００２】
天吊形空気調和機は室内ユニットを有し、この室内ユニットの筐体内には熱交換器が備えられている。そして熱交換器は、冷媒を流通させる冷媒ガス配管と冷媒液配管を側方に備え、室外ユニットの冷媒配管との接続部が室内ユニットの筐体に固定されている（例えば、特許文献１参照）。
このような天吊形空気調和機において、例えば、熱交換器は、その側方部分がコイルサポートによって室内ユニット筐体の側板に取付けられ、このとき熱交換器に接続された冷媒ガス配管及び冷媒液配管はパイプバンドによって室内ユニットの筐体配管固定部に固定されている。
【０００３】
【特許文献１】特開２００５−１６４２１１号公報（第３頁、図１、２）
【発明の開示】
【発明が解決しようとする課題】
【０００４】
特許文献１の天吊形空気調和機によれば、熱交換器を固定する際に固定用のパイプバンドが細くて持ちにくいため、冷媒ガス配管と冷媒液配管を筐体配管固定部に取り付ける際に組立作業性が悪く、固定しにくいという問題があった。
【０００５】
本発明は、上記のような課題を解決するためになされたもので、熱交換器に接続された配管の固定を容易にし、組立作業性を改善することができる天吊形空気調和機を提供することを目的とする。
また、組み立て作業時の部品点数を削減することによりコスト低減を図ることができる天吊形空気調和機を提供することを目的とする。
【課題を解決するための手段】
【０００６】
本発明に係る天吊形空気調和機は、吸引された室内空気を熱交換して二次空気とする熱交換器と、熱交換器の下方に配置され熱交換器からのドレン水を受けるドレンパンと、熱交換器の側方に設けられた冷媒ガス配管及び冷媒液配管と、熱交換器の側方を室内ユニットの筐体に固定するとともに、熱交換器を流通する室内空気と二次空気がバイパスしないようにドレンパンとともに熱交換器の側方を仕切るコイルサポートとを備え、
コイルサポートを冷媒ガス配管と冷媒液配管の接続部まで延設し、コイルサポートと一体に形成した配管固定部によって冷媒ガス配管と冷媒液配管を室内ユニットの筐体に固定したものである。
【発明の効果】
【０００７】
コイルサポートを冷媒ガス配管と冷媒液配管の接続部まで延長してコイルサポートと一体に形成した配管固定部によって冷媒ガス配管と冷媒液配管の接続部を室内ユニット筐体に固定するようにしたので、部品点数が削減されてコスト低減ができ、部品が持ちやすく、冷媒配管接続部の固定が容易になり、組立作業性を改善することができる。
【発明を実施するための最良の形態】
【０００８】
実施の形態１．
図１は本発明の実施の形態１に係る天吊形空気調和機の筐体を側面より見た構成説明図、図２は図１の要部の構成説明図、図３は図１の要部の分解斜視図、図４は図３を据付けた状態の要部の斜視図である。
天吊形空気調和機３０の筐体２０（室内ユニット）はほぼ四角形の箱形をなし、天井から吊り下げられて設置されている。筐体２０の下面上流側（図１の右側下部）には室内空気１０を吸込む吸込口２が形成されており、吸込口２には塵埃等を除去するフィルタ２ａが取り付けられている。筐体２０内の吸込口２の近傍にはシロッコファンよりなる送風ファン１が設けられ、電動機（図示せず）によって駆動される。
【０００９】
筐体２０内には送風ファン１の下流側（図１の左側）には風路３及び吹出口５が設けられ、風路３内には冷凍サイクルを構成する熱交換機４が下流側を上方にして斜めに配置されており、ここで吸込口２より吸入された室内空気１０（一次空気ともいう）と熱交換器４の冷媒とが熱交換を行う。
熱交換器４の側方部分４ａには冷媒を流通させる冷媒ガス配管１２と冷媒液配管１３とが接続されている。
【００１０】
熱交換器４の下側には、熱交換器４によって発生したドレン水７を受ける発泡スチロール製のドレンパン６が配置されており、ドレンパン６の熱交換器４側の表面にはＡＢＳ製のスキン層６ａがインサート成形されている。ドレンパン６の下面には、金属板からなる意匠パネル８が設置されている。
熱交換器４の側方部分４ａの上流側の下方には、ドレンパン６のドレン水溜まり６ｂとドレン水排出口６ｃが設けられており、ドレン排出口６ｃにはドレン水を排出するためのホース（図示せず）が接続され、ドレン水を筐体２０の外へ排出するようにしてある。
【００１１】
コイルサポート９は金属板からなり、熱交換器４の側方部分４ａを筐体２０の側板２０ｆに固定され、また、熱交換器４を流通する室内空気１０と二次空気１１が熱交換器４の側方部分４ａでバイパスしないようにドレンパン６とともに仕切っている。
このコイルサポート９はほぼ長方形状の金属板を曲げ加工して形成したもので、上流側から第１の面９ａ、第２の面９ｂ、第３の面９ｃ、第４の面９ｄ及び第５の面９ｅによって構成されている。
【００１２】
第１の面９ａは配管固定部を形成し、熱交換器４の側方部分４ａに接続された冷媒ガス配管１２と冷媒液配管１３とを固定するためのほぼ半円筒状に並列する溝部９０ａ，９０ｂが設けられ、両者の間の端部には係止爪９０ｃが設けられている。
第２の面９ｂは第１の面９ａの先端部をほぼ直角に下方に折り曲げて形成されて第１の面９ａを支持しており、第３の面９ｃは第２の面９ｂの先端部を第１の面９ａと逆方向に斜め下方に折り曲げて形成され、熱交換機４を据え付けた状態で熱交換機４の下方部分４ｂに整合するように形成してある。
第４の面９ｄは第３の面９ｃの先端部を第２の面９ｂと同方向に斜め上方に折り曲げて形成され、熱交換機４を据え付けた状態でほぼ水平となって、この部分に熱交換器４の側方部分４ａ及び冷媒ガス配管１２と冷媒液配管１３から落下したドレン水７を溜めるようにしてある。
第５の面９ｅは第４の面９ｄの先端部を第３の面９ｃと同方向に斜め上方に折り曲げて形成され、熱交換機４の据え付け状態で熱交換器４の下面に当接し、その上方部分４ｃまで延設されている。
【００１３】
筐体２０の筐体天板２０ａには、吹出口上部を構成する吹出口上部パネル２０ｂと、筐体の配管固定部２０ｃを有する仕切り板２０ｄとが設けられ、配管固定部２０ｃには固定溝部２００ａ、２００ｂが設けられている。そして、コイルサポート９の第１の面９ａに設けられた溝部９０ａ、９０ｂを、配管固定部２０ｃの固定溝部２００ａ、２００ｂに嵌合し、溝部９０ａ、９０ｂに冷媒ガス配管１２と冷媒液配管１３を嵌め込んで、これらの配管１２、１３を固定するようにしてある。
また、配管固定部２０ｃの固定溝部２００ａ、２００ｂの間には、コイルサポート９の第１の面９ａの係止爪９０ｂと係合する係止孔２００ｃが設けられている。なお、上記の説明では、配管固定部２０ｃに係止孔２００ｃを設け、コイルサポート９の第１の面９ａに係止爪９０ｃを設けたが、配管固定部２０ｃの側に係止爪を設け、コイルサポート９の第１の面９ａ側に係止孔を設けるようにしてもよい。
【００１４】
次に、天吊形空気調和機３０の熱交換器４の側方部分４ａの組立手順の一例を、図３を用いて説明する。なお、図３は天吊形空気調和機の据付状態とは、上下が逆になっている。まず、天吊形空気調和機３０の筐体天板２０ａを配置し、その下流側に筐体２０の吹出口上部パネル２０ｂを取付け、また、送風ファン１と風路３の間に、筐体天板２０ａと一体化されて配管固定部２０ｃを設けた仕切り板２０ｄを設置する。ついで、配管固定部２０ｃに設けた固定溝部２００ａ、２００ｂに熱交換器４に接続された状態の冷媒ガス配管１２と冷媒液配管１３の接続部分の近傍をセットした後、コイルサポート９を溝部９０ａ、９０ｂで配管１２、１３を押さえるように取り付けて固定する。この場合、溝部９０ａ、９０ｂの開口部の幅を、冷媒ガス配管１２と冷媒液配管１３の径より若干狭く形成すれば、より強固に固定することができる。このとき、コイルサポート９の係止爪９０ｃを、筐体２０の配管固定部２０ｃに設けた係止孔２００ｃに係止し、コイルサポート９の第５の面９ｅを熱交換器４の側方部分４ａの下面に位置させ、筐体天板２０ａと筐体側板２０ｆにネジ２５によって固定する。こうして、コイルサポート９の溝部９０ａ、９０ｂによって、冷媒ガス配管１２と冷媒液配管１３を挟んで固定する。そして、ドレンパン６と意匠パネル８を順に組込む。
【００１５】
次に、天吊形空気調和機３０の動作を説明する。電動機により送風ファン１が駆動すると、室内空気１０が吸込口２から吸い込まれ、風路３を通って熱交換機４に至る。ここで、室内空気１０と熱交換機４の冷媒とが熱交換され、熱交換後の室内空気は二次空気１１となって吹出口５より吹き出す。
このとき、熱交換器４の側方部分４ａ及び冷媒ガス配管１２と冷媒液配管１３から、ドレン水７がコイルサポート９に落下する。落下したドレン水７は、図４の矢印に示すように、コイルサポート９の形状に沿って流れ、コイルサポートの第４の面９ｄに溜まる。そして、第４の面９ｄからドレンパン６に流入し、ドレンパン６のドレン水溜まり６ｂに溜められ、そののちドレン排出口６ｃより筐体２０の外へ排出される。
【００１６】
実施の形態１によれば、コイルサポート９を冷媒ガス配管１２と冷媒液配管１３の接続部まで延長し、コイルサポ−ト９と一体形成された配管固定部９ａによって冷媒ガス配管１２と冷媒液配管１３の接続部の近傍を筐体２０に固定するようにしたので、別部品によって冷媒ガス配管１２と冷媒液配管１３を固定する必要がなく、このためコスト削減を図ることができる。また、コイルサポート９は従来の別部品に比べて持ちやすく、冷媒配管の接続口を容易に固定することができ、組立作業性を改善することができる。
【００１７】
実施の形態２．
図５は本発明の実施の形態２に係る天吊形空気調和機の熱交換器側方部分におけるコイルサポートの据付け状態を示す斜視図である。
本実施の形態２では、実施の形態１に係るコイルサポート９の第４の面９ｄの一部分に、熱交換器４の側方部分４ａ及び冷媒ガス配管１２と冷媒液配管１３から落下するドレン水７をドレンパン６に導く傾斜部９０ｄを形成したものである。
【００１８】
熱交換器４の側方部分４ａ及び冷媒ガス配管１２と冷媒液配管１３から、ドレン水７がコイルサポート９に落下する。落下したドレン水７は、コイルサポート９の形状に沿って流れ、コイルサポート９の第４の面９ｄに溜まる。そして、第４の面９ｄの一部に形成した傾斜部９０ｄによって、矢印で示すように、第４の面９ｄからドレンパン６に移動し、ドレンパン６のドレン水溜まり６ｂに溜められ、そののちドレン排出口６ｃより筐体２０の外に排出される。
その他の構成、作用は、実施の形態１で示した場合と実質的に同様なので説明を省略する。
【００１９】
実施の形態２によれば、実施の形態１のコイルサポート９の第４の面９ｄの一部分に、熱交換器４の側方部分４ａ及び冷媒ガス配管１２と冷媒液配管１３から落下するドレン水７をドレンパン６に導く傾斜部１５を形成し、ドレン水７を処理するようにしたので、コイルサポート９の錆付きを防止することができる。
【００２０】
実施の形態３．
図６は本発明の実施の形態３に係る天吊形空気調和機の熱交換器側方部分におけるコイルサポートの据付け状態を示す斜視図である。
実施の形態２では、コイルサポート９の第４の面９ｄの一部分に傾斜部９０ｄを形成した場合を示したが、本実施の形態３では、第４の面９ｄの全体を傾斜部９００ｄとしたものである。
その他の構成、作用、効果は、実施の形態２に示した場合と実質的に同様なので説明を省略する。
【００２１】
実施の形態４．
図７は本発明の実施の形態４に係る天吊形空気調和機のコイルサポートを示す斜視図、図８は図７の要部を示す斜視図である。実施の形態１〜３ではコイルサポート９を金属板によって形成した場合を示したが、本実施の形態４では、プラスチックによって形成したものである。この場合、コイルサポート９のプラスチックの材料は、例えばＡＢＳ樹脂よりなるものである。
【００２２】
コイルサポート９の第４の面９ｄは、全体がドレン水をドレンパン６に導くための傾斜部９００ｄを構成している。
また、コイルサポート９の第３の面９ｃ及び第５の面９ｅのそれぞれには、コイルサポート９の剛性を高めるために、コイルサポート９の長手方向に平行に形成された複数の補強リブ９００ｃ、９００ｅが設けられている。
さらに、コイルサポート９の配管固定部を構成する第１の面９ａには、第２の面９ｂ側に第１の面９ａを補強するための補強リブ９００ａが複数設けられ、また、冷媒ガス配管１２と冷媒液配管１３の両脇を補強するために、溝部９０ａ、９０ｂの縁部に沿って、これらの配管１２、１３の両脇を挟込むようにして形成された配管リブ９００ｂが設けられている。
その他の構成、作用は、実施の形態３に係るコイルサポート９の場合と実質的に同様なので説明を省略する。
【００２３】
実施の形態４によれば、コイルサポート９をプラスチック部材によって形成したので、金属板で形成した場合に比べて軽量化することができ、安価であるのでよりコスト低減を図ることができ、錆びることもない。また、コイルサポート９の第４の面９ｄに、ドレン水をドレンパンに導くための傾斜部９００ｄを形成したので、コイルサポート９に落下するドレン水を効率よく処理することができる。さらに、プラスチック部材によれば複雑な形状も作ることができるので、冷媒ガス配管１２と冷媒液配管１３とコイルサポート９の配管固定部である第１の面９ａとの密着性を高め、各配管１２、１３の固定をより強固にして配管の振動を抑制することができる。
【００２４】
実施の形態５．
上記の説明では、コイルサポート９に設けた溝部９０ａ、９０ｂの冷媒ガス配管１２と冷媒液配管１３を嵌合して固定する場合を示したが、本実施の形態５は、コイルサポート９の第１の面９ａに、図４の下方に開口する溝部を設け、配管固定部２０ｃに設けた固定溝部２００ａ、２００ｂに冷媒ガス配管１２と冷媒液配管１３を嵌合し、その上にコイルサポート９の溝部９０ａ、９０ｂを嵌合して、両配管１２、１３を配管固定部２０ｃとコイルサポート９との間に挟持して固定するようにしてもよい。
本実施の形態５においても実施の形態１〜４の場合とほぼ同様の効果を得られるが、冷媒ガス配管１２と冷媒液配管１３をより強固に筐体２０に固定することができる。
【図面の簡単な説明】
【００２５】
【図１】本発明の実施の形態１に係る天吊形空気調和機を側面より見た構成図である。
【図２】図１の熱交換器側方部分の要部を拡大した構成図である。
【図３】図１の熱交換器側方部分近傍の分解斜視図である。
【図４】図３の据付け状態を示す要部の斜視図である。
【図５】本発明の実施の形態２に係る天吊形空気調和機の熱交換器側方部分におけるコイルサポートの据付け状態を示す斜視図である。
【図６】本発明の実施の形態３に係る天吊形空気調和機の熱交換器側方部分におけるコイルサポートの据付け状態を示す斜視図である。
【図７】本発明の実施の形態４に係る天吊形空気調和機のコイルサポートを示す斜視図である。
【図８】図７のコイルサポートに冷媒ガス配管と冷媒液配管を取り付けた状態を示す要部の斜視図である。
【符号の説明】
【００２６】
４  熱交換器、４ａ  熱交換器の側方部分、６  ドレンパン、７  ドレン水、９  コイルサポート、９ａ  第１の面（配管固定部）、９ｂ  第２の面、９ｃ  第３の面、９ｄ  第４の面、９ｅ  第５の面、１０  室内空気、１１  二次空気、１２  冷媒ガス配管、１３  冷媒液配管、２０  筐体（室内ユニット）、２０ｃ  配管固定部、３０  天吊形空気調和機、９０ａ，９０ｂ  溝部、９０ｄ，９００ｄ  傾斜部、２００ａ，２００ｂ  固定溝部、９００ａ，９００ｂ，９００ｃ，９００ｅ  補強リブ。
【図１】
2008170019.tif 000003
【図２】
2008170019.tif 000004
【図３】
2008170019.tif 000005
【図４】
2008170019.tif 000006
【図５】
2008170019.tif 000007
【図６】
2008170019.tif 000008
【図７】
2008170019.tif 000009
【図８】
2008170019.tif 000010